(57)【要約】【課題】電線の屈曲部に織布保護材を巻き付ける。【解決手段】予め屈曲しているワイヤハーネス１２に織布保護材１０を巻き付けて電線を保護する。織布保護材１０は、ワイヤハーネス１２に密着させて巻き付けられており、少なくともワイヤハーネス１２の屈曲部１２ａを覆う部分において、織布保護材１０を構成する縦横両素線が、電線の長手方向に対し斜め方向に向いて配置されている。【選択図】図４
2012161170.tif 000002
【特許請求の範囲】
【請求項１】
予め屈曲している電線の束に巻き付けて電線を保護する電線の織布保護材であって、
電線の束に密着させて巻き付けられており、少なくとも電線の束の屈曲部を覆う部分において、織布保護材を構成する縦横両素線が、電線の長手方向に対し斜め方向に向いて配置されていることを特徴とする電線の織布保護材。
【請求項２】
予め屈曲している電線の束に巻き付けて電線を保護する電線の織布保護材であって、
織布保護材は、縦横両素線が斜め方向に位置するように織って構成されており、
電線の束に密着させて巻き付けられ、少なくとも電線の束の屈曲部を覆う部分において、前記素線が電線の長手方向に対し、斜め方向に向いていることを特徴とする電線の織布保護材。
【請求項３】
織布保護材を電線の束に巻き付ける電線の織布保護材の形成方法であって、
電線の束の屈曲部において、織布保護材を構成する縦横両素線が電線の長手方向に対し、斜め方向に向くようにして織布保護材を電線の束に密着させ、前記屈曲部において電線の束の長手方向に沿って織布を引き延ばしながら前記屈曲部を覆うように織布を巻き付け、織布保護材を形成することを特徴とする電線の織布保護材の形成方法。
【発明の詳細な説明】
【技術分野】
【０００１】
本発明は、予め屈曲している電線の束に巻き付けて電線を保護する電線の織布保護材およびその形成方法に関する。
【背景技術】
【０００２】
従来より、モータ、ポンプ、ランプなど多くの電気機器が用いられており、これらの制御装置も各種知られている。例えば、車両では、各種の機器が、電気によって動作し、これら機器をパワーコントロールユニットを用いて制御する。従って、パワーコントロールユニットには多くの電線が接続され、これら電線の束は、まとめて適切な形に配策される。このようなまとめられた電線の束は、ワイヤハーネスと呼ばれる。
【０００３】
ここで、パワーコントロールユニットでは、車両側からの各種配線のコネクタと、パワーコントロールユニットの基板のコネクタを接続するワイヤハーネスが利用され、このワイヤハーネスは両端にワイヤハーネス側コネクタが設けられてコネクタ間の接続を行う。このようなワイヤハーネスは、比較的狭い空間に配設する必要があり、屈曲部を有する場合が多い。一方、車両はその走行などのため振動し、ワイヤハーネスを振動から保護する必要がある。このため、ワイヤハーネスの電線の束に織布などの保護材を巻き付けてワイヤハーネスの電線が保護される。このようなワイヤハーネスの保護材は、例えば特許文献１に示されている。
【先行技術文献】
【特許文献】
【０００４】
【特許文献１】特許２７１８５７１号公報
【発明の概要】
【発明が解決しようとする課題】
【０００５】
ここで、保護材を電線の束に密着させて巻き付けるために、電線の束をまっすぐにして巻き付けている。ところが、このように保護材を巻き付けると、その後の電線の束が屈曲しにくくなる。すなわち、屈曲部の最小半径が比較的大きくなる。このため、狭い空間にワイヤハーネスを配策する場合の自由度が小さくなって、配策がしにくくなる。
【課題を解決するための手段】
【０００６】
本発明は、予め屈曲している電線の束に巻き付けて電線を保護する電線の織布保護材であって、電線の束に密着させて巻き付けられており、少なくとも電線の束の屈曲部を覆う部分において、織布保護材を構成する縦横両素線が、電線の長手方向に対し斜め方向に向いて配置されていることを特徴とする。
【０００７】
また、本発明は、予め屈曲している電線の束に巻き付けて電線を保護する電線の織布保護材であって、織布保護材は、縦横両素線が斜め方向に位置するように織って構成されており、電線の束に密着させて巻き付けられ、少なくとも電線の束の屈曲部を覆う部分において、前記素線が電線の長手方向に対し、斜め方向に向いていることを特徴とする。
【０００８】
また、本発明は、織布保護材を電線の束に巻き付ける電線の織布保護材の形成方法であって、電線の束の屈曲部において、織布保護材を構成する縦横両素線が電線の長手方向に対し、斜め方向に向くようにして織布保護材を電線の束に密着させ、前記屈曲部において電線の束の長手方向に沿って織布を引き延ばしながら前記屈曲部を覆うように織布を巻き付け、織布保護材を形成することを特徴とする。
【発明の効果】
【０００９】
本発明によれば、織布保護材の素線が斜め方向を向いているため、電線の束の屈曲部に対しても引き延ばしながら巻き付けることができる。
【図面の簡単な説明】
【００１０】
【図１】市販の織布保護材の模式図である。
【図２】実施形態の織布保護材の模式図である。
【図３】織布保護材のワイヤハーネスへの巻き付けを説明する図である。
【図４】屈曲部への織布保護材の巻き付けを説明する図である。
【図５】織布保護材の伸びを説明する図である。
【発明を実施するための形態】
【００１１】
以下、本発明の実施形態について、図面に基づいて説明する。
【００１２】
図１には、織布保護材１の模式図が示してある。図１（Ａ）は、縦横素線の状態を示しており、縦横素線が織られることで織布が形成されている市販の織布である。図１（Ｂ）は、模式的に表したものである。
【００１３】
図２（Ａ）は、実施形態に係る織布保護材１０を示している。この実施形態の織布保護材１０は、図１の織布保護材１を斜め方向に裁断することで、容易に得られる。四角形の織布保護材１０の縦横素線が両方とも斜め方向に配置されている。この例では、縦横素線は、四角形の各辺に対し、４５度の角度をなしている。なお、このような織布保護材１０について、図２（Ｂ）のように模式的に表す。
【００１４】
図３（Ａ）は、実施形態に係る織布保護材１０をワイヤハーネス１２に巻き付けて固定した状態を示してある。ワイヤハーネス１２の一端には車両側コネクタ１４、他端には基板側コネクタ１６が接続されている。なお、ワイヤハーネス１２は、３０〜４０本程度の電線の束からなっている。
【００１５】
織布保護材１０は、ワイヤハーネス１２に引き延ばしながら巻き付けられる。特に、ワイヤハーネス１２は、屈曲部１２ａを有しているが、織布保護材１０は、この屈曲部１２ａについても、引き延ばしながら、巻き付けられる。
【００１６】
なお、図３（Ｂ）には、ワイヤハーネス１２がまっすぐな場合の織布保護材１０の巻き付けについて、示している。このように、ワイヤハーネス１２を織布保護材１０で覆って、織布保護材１の両端をワイヤハーネス１２の短手方向に伸ばしながら、巻き付ける。
【００１７】
図４（Ａ）には、織布保護材１０が、屈曲部１２ａに引き延ばしながら巻き付けられる状態を示してある。図４（Ｂ）は、織布保護材１０を示している。
【００１８】
ワイヤハーネス１２の上側水平部分においては、矢印で示すように、織布保護材１０の左右両端部を下に向けて引っ張ることによって、ワイヤハーネス１２に巻き付けられる。
【００１９】
そして、屈曲部１２ａにおいては、矢印で示すように、織布保護材１０を屈曲部１２ａの外面に沿って下方向に引っ張りながら、屈曲部１２ａの外周面を覆うように密着させる。その後、織布保護材１０の左右両端を引っ張りながら、ワイヤハーネス１２に巻き付ける。
【００２０】
なお、織布保護材１０をワイヤハーネス１２に引っ張りながら巻き付けたら、端部を固定テープで固定する。なお、固定手段は、固定テープに限定されず、弾性テープの両端にフックが設けられているものなどでもよい。
【００２１】
ここで、本実施形態においては、織布保護材１０は、縦横素線がその端に対し、斜め方向に位置するようになっている。従って、織布保護材１０を縦方向または横方向に引っ張った場合に、素線に対し斜め方向に引っ張ることになる。すなわち、図５（Ａ）に示すように、縦横素線は両方とも斜め方向に伸びている。これを横方向に引っ張ると、図５（Ｂ）に示すように各素線が構成する四角形の穴が横方向に広がることで織布保護材１０が広がる。また、縦方向に引っ張ると、図５（Ｃ）に示すように各素線が構成する四角形の穴が縦方向に広がることで織布保護材１０が広がる。このため、素線自体が伸びなくても、織布保護材１０が伸びることができ、これによってワイヤハーネス１２に織布保護材１０を密着させて巻き付けることが可能になる。
【００２２】
なお、織布保護材１０は、各種の繊維が利用可能であるが、耐久性、耐薬品性などから合成繊維が好適であり、ポリアミド、ポリエステル、ポリオレフィンなどが好適である。また、織り方は各種あるが、平織りが好ましい。
【符号の説明】
【００２３】
１，１０  織布保護材、１２  ワイヤハーネス、１２ａ  屈曲部、１４  車両側コネクタ、１６  基板側コネクタ。
【図１】
2012161170.tif 000003
【図２】
2012161170.tif 000004
【図３】
2012161170.tif 000005
【図４】
2012161170.tif 000006
【図５】
2012161170.tif 000007